(57)【要約】【課題】  不吐補完とインデックス処理を組み合わせた印字モードと、最高解像度印字モードとの双方に対応できる高精細インクジェットヘッドを提供。【解決手段】  インライン１２００ｄｐｉのノズル列を８列互いにずらして配置する。【選択図】  図１
2010105193.tif 000002
【特許請求の範囲】
【請求項１】
被記録材に対して相対的に走査を行いながら記録液を吐出するための複数個のインク吐出口を有するインクジェット記録ヘッドであって、
前記インク吐出口が前記走査を行う方向（以下、走査方向と呼称）と垂直方向（以下、吐出口列方向と呼称）に一定のピッチPで列状に並んだ吐出口列を6組以上ｎ組形成しており、
前記各々の吐出口列に属する吐出口の位置が、前記吐出口列方向に、互いにP/ｎずつずれていることを特徴とするインクジェット記録ヘッド。
【請求項２】
前記吐出口列を8組有していることを特徴とする請求項１に記載のインクジェット記録ヘッド。
【請求項３】
前記吐出口列のノズルピッチPが、P≦1/600inch以下であることを特徴とする請求項１又は請求項２に記載のインクジェット記録ヘッド。
【請求項４】
前記各々の吐出口列のうち、少なくとも1列以上の吐出口列が直線上に配置されていることを特徴とする請求項１〜請求項３のいずれかに記載のインクジェット記録ヘッド。
【請求項５】
前記ｎ組の吐出口列のうち、前記走査方向の端に位置する吐出口列から前記走査方向の逆端に位置する吐出口列に向けて互いに隣接する吐出口列に属する吐出口のズレ方向が全て同一方向ではないことを特徴とする請求項１〜請求項３のいずれかに記載のインクジェット記録ヘッド。
【発明の詳細な説明】
【技術分野】
【０００１】
本発明は、液体に外部からエネルギーを加えることによって、所望の液体を吐出するインクジェットヘッド、特に熱エネルギーで液体を加熱発泡させて発生する運動エネルギーを利用して液体を吐出するインクジェットヘッドに関するものである。
【背景技術】
【０００２】
この種のインクジェットヘッドに関し、近年さらなる高画質化、さらなるスループットアップ、さらには、偶発的なノズルの不調等による不吐出に起因する画像の乱れに対する画像信頼性が高いレベルで求められている。
【０００３】
更なる高画質化のため、ノズル解像度を高める技術として、一定のピッチで配置されたノズルを単純に複数列ずらして配置することで印字解像度を向上させる技術が従来知られている。このような技術は、特許文献１〜特許文献４等にも印字解像度600dpiを実現する方法として開示されているが、それ以前にも一定ピッチを有するノズル列をずらして配置することでヘッドの解像度を上げる、という基本的な考え方はキヤノン株式会社の製品BJF-8500に搭載されたヘッド等により、従来知られている。この方法の一例を、特許文献１〜特許文献４等に開示されている例をもって説明する。図７〜図８に示すように、各々150dpiピッチで配列されたノズル列を4列、印字走査方向に対して垂直方向に150dpiの1/4のピッチ、600dpiずつずらして配置することにより、600dpiの解像度を持つヘッドを実現する、というものである。図５〜図６も従来例を示している。
【特許文献１】特開2006-168143号公報
【特許文献２】特表2003-521401号公報
【特許文献３】米国特許第6742866号明細書
【特許文献４】米国特許第6502920号明細書
【発明の開示】
【発明が解決しようとする課題】
【０００４】
しかしながら、さらなる高解像度化の追求と、スループットの向上とを両立するには、困難があり、特にヘッドを固定して紙を1回走査することで印字を終了するラインタイプのインクジェットにおいては、さらなる工夫が必要であった。
【課題を解決するための手段】
【０００５】
本発明は、上記課題に対し、さらなる高解像度の画像印字を高速に達成する方法を提供するものである。その達成手段は、ヘッドに6列以上、望ましくは8列以上n列の600dpi以上の解像度（ノズルピッチP）を有するノズル列を配置するものである。さらに、本発明は、インクジェット記録ヘッドが紙に対して相対的に走査する方向に対して角度ずれ（θずれ）を生じても印字画像の劣化を最小限にする方法をも提供するものである。その達成手段は、互いにP/nずつずらして配置するというものである。
【発明の効果】
【０００６】
このように、本発明は、さらなる高解像度の画像印字を高速に達成する方法を提供するものであり、さらには、インクジェット記録ヘッドがその走査方向に対して角度ずれ（θずれ）を生じても印字画像の劣化を最小限にする。
【発明を実施するための最良の形態】
【０００７】
次に、本発明の詳細を実施例の記述に従って説明する。
【０００８】
図1〜図４を用いて本発明の第1の実施例を説明する。図１は本発明のインクジェット記録ヘッドのノズル配置を示す模式図、図２は本発明のインクジェット記録ヘッドの外観斜視図。図３および図４は同ヘッドの模式的断面図を説明するための図である。
【０００９】
本発明のインクジェット記録ヘッドは、不図示のインクジェット記録装置から接続電極108を通じて入力される電気的信号を受け、信号は回路基板１０７、フレキシブル回路基板１０５を通じてシリコンチップ１０１に伝えられる。シリコンチップ１０１には、これを貫通する形でシリコンチップ１０１の裏面からインクを供給するための共通液室１１０がもうけられている。インクは共通液室１１０からシリコン基板１０１の表面にもうけられた流路１１３を通じてヒーター１１１の表面まで供給され、前述の電気的信号に応じてヒーター１１１が加熱され、インクが発泡し、吐出口１１６からインクが吐出する。このインクジェット記録ヘッド１２０に供給される電気信号は不図示のインクジェット記録装置によって生成される。本実施例においては、ノズル解像度は1200dpiの列が8列、互いに600dpi×8列＝9600dpiずつずれて配置されている。このように6列以上、理想的には8列以上のノズル列を配置することで、ヘッドに偶発的な不調が生じてインクの吐出に不良が発生しても、画像上目立つことはない。この効果は、ヘッドを紙に対して1度相対的に走査して印字を終了するラインタイプのインクジェットヘッドにおいて、特に効果的である。
【００１０】
また、各々のノズル列のずらし方にも特徴があるので以下に説明する。図１中、上のラスタから下に向かって、第１のノズル列１１，第８のノズル列１８，第２のノズル列１２，第７のノズル列１７、第３のノズル列１３，第６のノズル列１６，第４のノズル列１４，第５のノズル列１５，と、左右対称に近い形の順序に並んでいる。各々のノズル列のずらす順序をこのように変えることで、インクジェット記録ヘッド１２０が走査方向に対し、傾きを持った場合（θずれが生じた場合）でも、白筋や黒筋が発生しにくい構成となっている。
【００１１】
このように、本発明においては、インライン1200dpiのノズル列を9600dpiごとにずれを生じさせることで、リアル9600dpiの高画質印字を実現し、高速に印字を実現することができるインクジェット記録ヘッドを提供するものである。
【図面の簡単な説明】
【００１２】
【図１】本発明第1の実施例のノズル形状平面図
【図２】本発明のインクジェット記録ヘッドの外観斜視図
【図３】本発明のインクジェット記録ヘッドの模式的断面図
【図４】本発明のインクジェット記録ヘッドの模式的断面図
【図５】従来のインクジェット記録ヘッドのノズル配置模式図
【図６】従来のインクジェット記録ヘッドのノズル配置模式図
【図７】従来のインクジェット記録ヘッドのノズル配置模式図
【図８】従来のインクジェット記録ヘッドのノズル配置模式図
【符号の説明】
【００１３】
１１  第1ノズル列
１２  第2ノズル列
１３  第3ノズル列
１４  第4ノズル列
１５  第5ノズル列
１６  第6ノズル列
１７  第7ノズル列
１８  第8ノズル列
１０１  シリコン基板
１０４  チッププレート
１０５  フレキシブル回路基板
１０６  支持部材
１０７  回路基板
１０８  接続電極
１１０  共通液室
１１１  ヒーター
１１２  封止材
１１３  流路
１１６  吐出口
１１７  インクリザーバ
【図１】
2010105193.tif 000003
【図２】
2010105193.tif 000004
【図３】
2010105193.tif 000005
【図４】
2010105193.tif 000006
【図５】
2010105193.tif 000007
【図６】
2010105193.tif 000008
【図７】
2010105193.tif 000009
【図８】
2010105193.tif 000010